(57)【要約】  少なくとも下記を含む、絶縁グレージングのための統合されたリボンケーブル（１４）を有するスペーサ（Ｉ）：  −  ２つのペイン接触表面（７．１、７．２）、グレージング内側表面（８）、外側表面（９）、及び、  −  外側表面（９）の上の、少なくとも１つのリボンケーブル（１４）、  −  リボンケーブル（１４）が、外側表面（９）に物質的に結合している。【選択図】図１
2021513014.tif 000002
【特許請求の範囲】
【請求項１】
少なくとも下記を含む、絶縁グレージングのための統合されたリボンケーブル（１４）を有するスペーサ（Ｉ）：
−  ２つのペイン接触表面（７．１、７．２）、グレージング内側表面（８）、外側表面（９）を含む本体（５）、及び、
−  前記外側表面（９）の上の、少なくとも１つのリボンケーブル（１４）、
−  前記リボンケーブル（１４）が、前記外側表面（９）に、物質的に結合している。
【請求項２】
前記リボンケーブル（１４）が、前記スペーサ（Ｉ）の前記外側表面（９）に、接着、溶着、若しくは積層されており、又は、それとともに共押出されている、請求項１に記載のスペーサ（Ｉ）。
【請求項３】
前記リボンケーブル（１４）が、少なくとも１つのワイヤを、金属箔の形態で有している、請求項１又は２に記載のスペーサ（Ｉ）。
【請求項４】
前記本体（５）が、金属本体であり、前記リボンケーブル（１４）が、前記本体（５）に接着又は溶着されており、かつ、電気絶縁体（１８）が、前記本体（５）と前記リボンケーブル（１４）との間に付着している、請求項１〜３のいずれか一項に記載のスペーサ（Ｉ）。
【請求項５】
前記本体（５）が、前記外側表面（９）の少なくとも一部に耐ガス漏洩性かつ耐蒸気漏洩性であるバリアフィルム（１６）を有するポリマー本体であり、かつ、前記耐ガス漏洩性かつ耐水漏洩性であるバリアフィルム（１６）が、金属層（１６．１）とポリマー層（１６．２）との交互の配列を有する、請求項１〜３のいずれか一項に記載のスペーサ（Ｉ）。
【請求項６】
前記リボンケーブル（１４）が、前記本体（５）の前記外側表面（９）と前記耐ガス漏洩性かつ耐蒸気漏洩性であるバリアフィルム（１６）との間、又は前記耐ガス漏洩性かつ耐蒸気漏洩性であるバリアフィルム（１６）の中に延在しており、好ましくは、２つのポリマー層（１６．２）、又は１つのポリマー層（１６．２）及び前記ポリマー本体（５）に隣接している、請求項５に記載のスペーサ（Ｉ）。
【請求項７】
前記リボンケーブル（１４）が、前記耐ガス漏洩性かつ耐蒸気漏洩性であるバリアフィルム（１６）の、前記本体（５）の前記外側表面（９）に面している表面に延在している、請求項５に記載のスペーサ（Ｉ）。
【請求項８】
前記リボンケーブル（１４）が、前記バリアフィルム（１６）と一緒に、前記ポリマー本体（５）に積層されており、又は、前記リボンケーブル（１４）が、前記ポリマー本体（５）及び前記バリアフィルム（１６）の共押出によって、前記ポリマー本体（５）に適用されている、請求項６又は７に記載のスペーサ（Ｉ）。
【請求項９】
前記スペーサ（Ｉ）が、ペインを受け入れるための溝（１７）を有し、この溝が、前記第１ペイン接触表面（７．１）及び前記第２ペイン接触表面（７．２）に対して平行に延在している、請求項１〜８のいずれか一項に記載のスペーサ（Ｉ）。
【請求項１０】
少なくとも、第１ペイン（１９）及び第２ペイン（２０）、前記ペインを囲んでいる請求項１〜９のいずれか一項に記載の周縁スペーサ（Ｉ）、並びに、前記グレージングの内部（３）における電気的に切り替え可能な機能性要素（１）を有しており、
−  前記第１ペイン（１９）が、前記第１ペイン接触表面（７．１）に押し付けられており、
−  前記第２ペイン（２０）が、前記第２ペイン接触表面（７．２）に押し付けられており、
−  電気接続ケーブル（１５）が、前記リボンケーブル（１４）と電気伝導的な接触を形成しており、
−  前記電気接続ケーブル（１５）が、前記第１ペイン（１９）と前記第２ペイン（２０）との間、又は、前記第２ペイン（２０）と前記第２ペイン接触表面（７．２）との間に延在しており、かつ前記グレージング内部（３）に入っており、かつ、
−  前記電気接続ケーブル（１５）が、前記グレージング内部（３）において、前記電気的に切り替え可能な機能性要素（１）と、電気伝導的な接触を形成している、
絶縁グレージング（ＩＩ）。
【請求項１１】
少なくとも、第１ペイン（１９）、第２ペイン（２０）、及び第３ペイン（２１）、前記ペインを囲んでいる請求項９に記載の周縁スペーサ（Ｉ）、並びに、前記第３ペイン（２１）の少なくとも１つの表面における電気的に切り替え可能な機能性要素（１）を有しており、
−  前記第１ペイン（１９）が、前記第１ペイン接触表面（７．１）に押し付けられており、
−  前記第２ペイン（２０）が、前記第２ペイン接触表面（７．２）に押し付けられており、
−  前記第３ペイン（２１）が、前記スペーサ（Ｉ）の前記溝（１７）に挿入されており、
−  電気接続ケーブル（１５）が、前記リボンケーブル（１４）と電気伝導的な接触を形成しており、かつ、
−  前記電気接続ケーブル（１５）が、前記電気的に切り替え可能な機能性要素（１）と、前記溝（１７）の底部表面における進入開口部を介して、電気伝導的な接触を形成している、
絶縁グレージング（ＩＩ）。
【請求項１２】
前記電気接続ケーブル（１５）が、接触要素（２）を介して、好ましくはバネ接触体を介して、前記電気的に切り替え可能な機能性要素（１）と、電気伝導的な接触を形成している、請求項１０又は１１に記載の絶縁グレージング（ＩＩ）。
【請求項１３】
少なくとも下記である、請求項１０〜１２のいずれか一項に記載の絶縁グレージング（ＩＩ）を製造する方法：
（ａ）  統合されたリボンケーブル（１４）を有するスペーサ（Ｉ）を提供し、
（ｂ）  前記スペーサ（Ｉ）を、封止剤（４）によって、それぞれペイン接触表面（７．１、７．２）を介して、第１ペイン（１）と第２ペイン（２）との間に付着させ、かつ、電気的に切り替え可能な機能性要素（１）を、前記グレージング内部（３）に挿入し、
（ｃ）  このアセンブリを、押圧し、かつ、
（ｄ）  外部封止剤（６）を、前記外部ペイン間空間（１３）に導入する、
ここで、工程（ｂ）において、前記リボンケーブル（１４）を、前記電気的に切り替え可能な機能性要素（１）に、電気伝導的に接触させる。
【請求項１４】
工程（ｂ）の前に、第３ペイン（２１）を、前記スペーサ（Ｉ）の溝（１７）に挿入する、請求項１３に記載の方法。
【請求項１５】
請求項１〜９のいずれか一項に記載のスペーサ（Ｉ）の、電気的に切り替え可能な機能性要素（２２）を有する絶縁グレージング（ＩＩ）における、好ましくはＳＰＤ機能性要素，ＰＤＬＣ機能性要素、エレクトロクロミック機能性要素、又はエレクトロルミネッセント機能性要素を有する絶縁グレージング（ＩＩ）における、使用。
【発明の詳細な説明】
【技術分野】
【０００１】
本発明は、統合されたリボンケーブルを有するスペーサ、そのようなスペーサを有する絶縁グレージング、その製造方法、及びその使用に関する。
【背景技術】
【０００２】
絶縁グレージングが、特にはますます厳格になっている環境保護規制の結果として、建設分野において不可欠になっている。これらのグレージングは、少なくとも１つの周縁スペーサを介して互いに結合している少なくとも２つのペインからできている。実施態様に応じて、グレージング内部として言及される、２つのペインの間の空間が、空気で充填されており、又はガスで充填されており、しかしながら、いずれの場合にも、湿分を有しない。グレージングペイン間空間における過剰な湿分含有量は、特には低い外部温度を伴って、ペイン間空間における水滴の凝集をもたらし、これは、絶対的に回避される必要がある。アセンブリの後でシステム内に残る残余湿分を吸収するために、乾燥剤で充填された中空体スペーサを使用することができる。しかしながら、乾燥剤の吸収能力は限られているので、システムの封止も、さらなる湿分の侵入を防ぐために、非常に重要である。
【０００３】
絶縁グレージングは、それらの基本的な機能を超えて、組み込まれた構成要素の形態のさらなる要素、又は制御可能な追加機能を有するペインも、含むことができる。切り替え可能又は制御可能な光学的特性を有するグレージングが、現代的なアクティブグレージングの１つのタイプである。そのようなグレージングによって、例えば、光の透過に、適用される電圧に応じて、能動的に影響を及ぼすことができる。使用者は、例えば、グレージングの透明状態から不透明状態に切り替えることができ、それによって、外部からの部屋への視線を防止することができる。他のグレージングによって、透過を無制限に調節することができ、それによって、例えば、部屋への太陽エネルギーの侵入を制御することができる。このようにして、建物又は乗り物内部の望ましくない加熱が回避され、かつ、エアコンディショニングシステムによってもたらされるエネルギー消費又はＣＯ２排出が低減される。結果として、アクティブグレージングは、ファサードの視覚的に魅力的な設計及び内部における快適な照明のために使用されるだけでなく、エネルギー及び生態学的な見地からも、有利である。
【０００４】
アクティブグレージングは、機能性要素を有し、この機能性要素は、典型的には、２つの表面電極の間の活性層を有する。活性層の光学特性を、表面電極に適用される電圧によって変化させることができる。例えば、米国特許出願公開第２０１２００２６５７３号明細書、及び国際公開第２０１２００７３３４号から知られているエレクトロクロミック機能性要素は、これの例である。例えば、欧州特許第０８７６６０８号明細書及び国際公開第２０１１０３３３１３号から知られているＳＰＤ（懸濁粒子装置）機能性要素は、別の例である。エレクトロクロクロミック又はＳＰＤ機能性要素を通る可視光の透過性を、適用される電圧によって制御することができる。電圧の供給は、いわゆるバスバーを介して行われ、バスバーは、通常は、表面電極に適用され、適切な接続ケーブルを介して電圧源に接続される。
【０００５】
アクティブグレージングが絶縁グレージングに統合される場合には、アクティブグレージングの電圧供給が、耐ガス漏洩性及び耐水漏洩性で設計される必要があり、それによって、絶縁グレージングの十分な品質及び耐用年数を確保する必要がある。国際公開第２０１７／１０６４５８号では、電気供給ラインそれ自体を、形状及びサイズの点で設計し、それにより、構成要素の異なる熱膨張を伴う場合の、相対的な動きに対する高い許容誤差を有するようにしている。しかしながら、供給ラインそれ自体が、結合及び封止のために使用される主要封止手段によって、スペーサと隣接するペインとの間に置かれる。絶縁グレージングの端部封止を通るケーブルのそのような通路は、常に、潜在的な欠陥部位も構成する。
【０００６】
さらには、実際上、電気的な接触が、多くの場合、絶縁グレージングの複数の場所で必要となる。従来技術の接続ケーブルは、外部ペイン間空間においてスペーサフレームの周りに延在する。スペーサが、絶縁グレージングのペインに、いわゆる主要封止剤を介して結合され、一方で、二次的な封止剤が、外部ペイン間空間に導入され、それを充填し、かつ、存在しうる電気接続ケーブルを取り囲む。しかしながら、電気接続ケーブルの存在下における外部ペイン間空間の自動充填は、問題があることが分かっており、なぜならば、例えば、それらは、押出ノズルを有するロボットアームを空間的に妨害するからである。さらには、気泡が、外部ペイン間空間、例えば接続ケーブルとスペーサとの間に残ってはならない。閉じ込められた空気の体積が、変化する環境条件によって変化し、恒常的に、空気包含領域において、絶縁グレージングの漏れをもたらす。
【０００７】
絶縁グレージングの改善された耐漏洩性を確保するための、スペーサの領域における種々の修正が、既に知られている。絶縁グレージングの耐漏洩性を改善するための１つの方策は、ポリマースペーサを、金属箔、又は交互の金属−ポリマー層システムでコーティングすることであり、例えば、欧州特許出願公開第０８５２２８０号明細書、及び国際公開第２０１３／１０４５０７号で開示されているような方策である。これらは、スペーサの高い耐漏洩性を確保し、同時に、アセンブリのために使用される封止剤との適合性を有する。しかしながら、電気供給ラインを有する絶縁グレージングの耐漏洩性に関して言及した問題は、これによっては、影響を受けない。
【０００８】
リボンケーブルが、電気工業の分野で知られており、かつ、例えば、コンピュータにおける電気的な接触のために使用されている。用語「リボンケーブル」の下で当業者に知られているのは、ワイヤが平行に延在しているマルチワイヤ（複数ワイヤ）ケーブルである。円柱形の設計とは対照的に、リボンケーブルは、実質的に比較的低い構造体高さを有する。リボンケーブルのワイヤは、例えば、絶縁体を有する平行なストランドとして実施されてよく、絶縁体が、ケーブルの形状、及びワイヤの間の距離（いわゆるグリッド寸法）を決定する。
【０００９】
リボンケーブルのサブグループは、フラット（平坦）フレックスケーブル（ＦＦＣ）としても知られるリボンケーブルである。これらも、平行に延在するワイヤを有するが、ワイヤが、金属箔として実施されている。プラスチックフィルムが、通常は、ワイヤを離す絶縁体として使用される。ＦＦＣの既知のありうる設計は、積層リボンケーブル、いわゆるフラット積層ケーブル（ＦＬＣ）、押出リボンケーブル、いわゆるフラット押出ケーブル（ＦＥＣ）である。積層された態様（ＦＬＣ）では、金属箔と周囲の絶縁体との間に接着剤がある。一方で、平坦バンド伝導体（ＦＥＣ）の場合には、ワイヤが、絶縁体によって直接に囲まれている。フレキシブルパターン回路基板（可とう性プリント回路、ＦＰＣ）も、別のありうる設計として知られており、これは、主に、複雑な伝導体パターンの場合に、使用される。
【００１０】
平坦フレックスケーブル（ＦＦＣ）は、それらの省空間設計に起因して、自動車のワイヤ接続のハーネスにおいて使用されることが多い。したがって、例えば、独国特許出願公開第１０２０１４１１９７２０号明細書は、自動車のための積層リボンケーブルを最適化することを目的としている。
【００１１】
国際公開第２０１６／１２１３３２号は、光学装置を有する絶縁グレージングを開示しており、電気供給ラインが、絶縁グレージングのスペーサを通り、グレージング内部に延在しており、金属ストリップが、絶縁グレージングの端部封止に挿入され、封止剤の中にある。金属ストリップが、電気供給ラインに電気伝導的に接続される。
【００１２】
国際公開第２０１６／０９１６４６号は、２つの中空チャンバーを有する中空プロファイルの形態の絶縁グレージングのためのスペーサを開示しており、ペインを受け入れるための溝が、２つの中空チャンバーの間に延在している。溝が、ガス透過性の挿入体、又は、少なくとも１ｍｍで離されている少なくとも２つの挿入体を備えており、そのようにして、絶縁グレージングのペイン間空間の間のガス交換を可能にしている。
【００１３】
国際公開第２０１３１０９８８１号は、エレクトロクロミック装置を有する絶縁グレージングを開示しており、絶縁グレージングの端部封止における電気供給ラインが、主要封止剤及び二次封止剤の中に延在している。
【００１４】
米国特許出願公開第２０１４０２４７４７５号明細書は、エレクトロクロミック装置及びその電気接触を有する絶縁グレージングを記載している。接続ケーブルを延在させるために、溝の形態の２つのケーブル受容部を有するプロファイル材が、絶縁グレージングの端部封止に挿入されている。そのような装置は、封止剤で充填することが困難である；なぜならば、プロファイル材の複雑な形状に起因して、空気で充填されたキャビティが残ることがあるからである。
【００１５】
独国特許第１０３６１１８４号明細書は、バスバーが挿入されているプラスチックプロファイル材でできているスペーサフレームを有する光起電絶縁ガラスペインを開示している。スペーサフレームは、バスバーが挿入される領域において、連続的ではない。
【発明の概要】
【発明が解決しようとする課題】
【００１６】
本発明の目的は、電気供給ラインを有する絶縁グレージングの改善された封止をもたらすスペーサ、このスペーサを有する絶縁グレージング、及び、絶縁グレージングを製造するための経済的な方法を提供することである。
【課題を解決するための手段】
【００１７】
本発明の目的は、本発明に従って、独立請求項１、１０、１１、１３及び１５に係る、統合されたリボンケーブルを有するスペーサ、スペーサを有する絶縁グレージング、その製造方法、及びスペーサの使用によって、達成される。本発明の好ましい実施態様が、従属請求項から明らかとなる。
【図面の簡単な説明】
【００１８】
【図１】図１は、本発明に係るスペーサの断面概略図である。
【図２ａ】図２ａは、本発明に係る絶縁グレージングの断面概略図である。
【図２ｂ】図２ｂは、図２ａの本発明に係る絶縁グレージングの全体図である。
【図３ａ】図３ａは、耐水漏洩性かつ耐蒸気漏洩性であるバリアフィルム及び統合された平坦バンド伝導体を有する、本発明に係るスペーサの外部側の詳細図である。
【図３ｂ】図３ｂは、耐水漏洩性かつ耐蒸気漏洩性であるバリアフィルム、及びそこに適用された平坦バンド伝導体を有する、本発明に係るスペーサの外部側の詳細図である。
【図４】図４は、二重スペーサを有する本発明に係る三重絶縁グレージングの実施態様の断面図である。
【図５】図５は、本発明に係る方法のあり得る実施態様のフローチャートである。
【００１９】
絶縁グレージングのための統合されたリボンケーブルを有する本発明に係るスペーサは、少なくとも、２つのペイン接触表面、グレージング内側表面、及び外側表面を有する本体を有する。少なくとも１つのリボンケーブルが、外側表面に延在しており、外側表面に、直接に又は間接に、物質的に結合している。ここで、「直接の結合」は、リボンケーブルと本体との間の直接の結合を意味する。これは、例えば、構成要素が他の層の介在なしで接続される場合である。これは、例えば、接着剤なしで、共押出、溶着、又は積層した場合である。間接的な結合は、接着剤の使用を伴って、又は他の構成要素、例えばバリアフィルムの介在を伴って、結合又は積層によって、作り出される。いずれの場合にも、物質的、全表面的な結合が、本体とリボンとの間に形成され、本体とリボンケーブルとの間には、キャビティ及び封止剤が存在しない。キャビティは、そこに含有される空気の膨張に起因して、絶縁グレージングの漏洩をもたらすことがある。封止剤は、本体とリボンケーブルとの間の中間空間を充填するためには適していない；なぜならば、通常は、これらの狭いキャビティが、不十分にしか充填されず、空気で充填されたキャビティが残るからである。これに関して、「封止剤」は、ペインをスペーサのペイン接触表面に付着するために使用される慣用的な（多くの場合、主要封止剤として言及される）封止剤、及び、（多くの場合、二次封止剤として言及される）外部封止剤を含む。
【００２０】
本体のペイン接触表面、グレージング内側表面、及び外側表面は、一緒に、周縁的な閉鎖体を形成する。これは、構造的な一体性並びにガス及び水に対する耐漏洩性を確保する。本体は、耐ガス漏洩性材料、例えば、金属でできており、又は、例えばポリマー本体の場合には、耐ガス漏洩性でありかつ耐水漏洩性であるバリアフィルムを備えている。
【００２１】
本体とリボンケーブルとの物質的な接続は、スペーサへのリボンケーブルのキャビティのない接続を可能にし、それにより、絶縁グレージングの外部ペイン間空間を充填する際に、気泡が外部封止剤に残らないようになる。気泡は、封入された空気の熱膨張の際に絶縁グレージングの端部封止の漏れを生ずる。
【００２２】
さらに、本発明に係るスペーサは、本発明に係るスペーサを含むスペーサフレームの、工業的に自動化されたさらなる加工を可能にする。電気供給ラインとして機能するリボンケーブルが、物質的に、スペーサの外側表面に延在しているので、電気供給ラインがスペーサの外側に沿ってガイドされる材料ノズルに対する障害を構成することなく、グレージングの端部領域の自動化された充填を行うことができる。
【００２３】
本発明に関して、統合されたリボンケーブルを有するスペーサが使用されるのは、特に、例えば、電圧源が絶縁グレージングの複数の場所で必要であり、かつ、外部ペイン間空間に自由に延在する従来技術に係る接続ケーブルであれば、自動化されたさらなる加工に悪影響を及ぼすであろう場合である。
【００２４】
本発明の実質的な利点は、統合された電気供給ラインを有する本発明に係るスペーサの高い程度の事前製造にもある。ラインが、スペーサの製造プロセスの間にスペーサに既に統合されており、それにより、絶縁グレージングの製造の間に、手動によるラインの設置が、もはや必要でないようになっている。絶縁グレージングの製造の間に、スペーサの外側表面に既に存在する供給ラインを、必要な場所で接触させる必要があるのみである。この目的のために、リボンケーブルを、例えば、電気的に切り替え可能な機能性要素の接続に使用される電気接続ケーブルに、電気伝導的に接触させることができる。供給ラインの手動設置が排除されるので、絶縁ガラスの製造の自動化の程度が、さらに増加しうる。さらには、電気供給ラインの位置が、正確に決定される必要があり、なぜならば、これらは、端部封止における自由なケーブルとして存在しておらず、規定の位置で本体に付着しているからである。これは、電気的な接触を促進する。
【００２５】
第１ペイン接触表面及び第２ペイン接触表面は、スペーサの側面であり、ここに、絶縁グレージングの外部ペイン（第１ペイン及び第２ペイン）が、スペーサが設置される際に、取り付けられる。第１ペイン接触表面及び第２接触表面は、互いに平行に延在している。
【００２６】
グレージング内側表面は、絶縁グレージングにおけるスペーサの組込みの後にグレージングの内側の方向に向いている、スペーサ本体の表面として定義される。グレージング内側表面は、第１と第２ペインとの間にある。
【００２７】
スペーサ本体の外側表面は、絶縁グレージングの内部から離れて外側封止の方向に面している、グレージング内側表面とは反対側の面である。
【００２８】
スペーサの外側表面は、あり得る実施態様において、ペイン接触表面にそれぞれ隣接して角度を有することができ、本体の改善された安定性がもたらされる。外側表面は、ペイン接触表面に隣接して、例えば、外側表面に対してそれぞれ３０°〜６０°で、角度を有していることができる。
【００２９】
好ましい実施態様では、スペーサとリボンケーブルとの間の物質的な接続を、本体とリボンケーブルの接着、溶着、積層、又は共押出によって、達成する。
【００３０】
本体をリボンケーブルに接着する際に、接着剤を、少なくとも、本体の外側に適用し、リボンケーブルを、しめった接着剤の中に挿入する。リボンケーブルを押圧することによって、本体とリボンケーブルとの間に存在しうる空気の包含を取り除く。構成要素を接着することは、本体とリボンケーブルとの接続のための、技術的に最も簡便な変形態様を構成する；なぜならば、これは、大規模な投資を伴うことなく、簡便な手段によって、製造において可能だからである。適切な接着剤は、例えば、一群のホットメルト接着剤、ポリウレタン接着剤、及び／又はメチルメタクリレート接着剤である。
【００３１】
本体及びリボンケーブルを溶着する場合には、これは、好ましくは、超音波溶着によって行う。リボンケーブルを、本体の外側表面に配置し、かつ、ソノトロードを付けて、構成要素を溶着する。これは、有利であり、なぜならば、物質的な結合を、追加的な構成要素例えば接着剤なしで達成することができるからである。さらには、強度が、接着された結合の場合よりも高い。
【００３２】
本体とリボンケーブルとを積層するためには、これらの構成要素を、一緒に配置し、積層プロセスに供する。随意に、接着剤を、積層される層の間に挿入してもよい。積層される隣接する層が熱可塑性材料である場合には、接着剤は必要ないが、随意に使用してよい。プラスチック層を金属層（例えば金属本体）と積層する場合には、接着剤が、好ましくは使用される。これのために適切な接着剤は、例えば、ポリイミド、ポリエステル、及び修飾エポキシ接着剤である。これらは、化学的な影響に対して高度に不活性であり、かつ、良好な電気絶縁特性を有する。
【００３３】
本体とリボンケーブルとの共押出の場合には、押出しプロセスの始めにリボンケーブルが既にそこに挿入されているため、スペーサ、例えばポリマー本体の形態のスペーサを、リボンケーブルの上に直接に押出しし、リボンケーブルが、スペーサの外側表面の上に位置することとなる。
【００３４】
本発明に従ってスペーサの外側表面に導入されるリボンケーブルは、単一ワイヤ又は複数ワイヤのケーブルであり、ワイヤが、平行に延在している。結果として、リボンケーブルは、外部ペイン間空間において慣用的に使用される円筒形の接続ケーブルよりも、実質的に比較的低い構造体高さを有する。本発明に関して、全ての一般的なリボンケーブルが、それらの平坦な設計に起因して、適切である。リボンケーブルは、それらの平坦な設計に起因して、スペーサの外側表面に対して、そこへの物質的な結合を伴って、面一で配置され、本体とケーブルとの間に空気の包含を生じず、又は、充填後には、ケーブルの側部に、空気の包含を生じない。
【００３５】
あり得る実施態様では、リボンケーブルが、複数の平行なより線（ストランド）を有する。これらは、好ましくは、絶縁体で取り囲まれ、絶縁体が、より線を互いに離し、かつ、ケーブルの絶縁特性に加えて、ケーブルの寸法安定性を確実にする。隣接するより線の円形形状は、より伝導体（ストランド伝導体）を有するリボンケーブルの、構造化された波形の表面をもたらす。このことを考慮して、より伝導体を有するリボンケーブルを、好ましくは、スペーサの外側表面に、接着剤によって付着させる；なぜならば、接着剤が、波形の表面によって形成されるキャビティを充填するからである。
【００３６】
本発明に関して、使用されるリボンケーブルは、好ましくは、リボンケーブルの特別なタイプである一群の平坦バンド伝導体に属する。平坦バンド伝導体は、箔伝導体、可とう性（フレキシブル）平坦ケーブル、又は平坦伝導体の用語の下でも知られている。特に慣用的なものは、国際的に使用されている表現である平坦フレックスケーブル（フラットフレックスケーブル、ＦＦＣ）である。これらも、平行なワイヤを有しているが、金属箔として実施されている。用途に応じて、平坦バンド伝導体が、単一のワイヤを有していてもよい。
【００３７】
平坦バンド伝導体は、種々の設計で市販されており、１又は複数のワイヤを有し金属箔として実施されている。通常は、これらは、少なくとも１つのワイヤを囲むプラスチックフィルムの形態の絶縁体を有する。伝導体（金属箔ストリップ）と絶縁体（プラスチックフィルム）との結合は、積層（いわゆる平坦積層ケーブル（ＦＬＣ））又は押出し（いわゆる押出平坦バンド伝導体（ＦＥＣ））によって行われる。積層態様（ＦＬＣ）においては、金属箔と周囲の絶縁体との間に接着剤があり、押出平坦ケーブル（ＦＥＣ）では、ワイヤが、絶縁体によって直接に取り囲まれている。これらの平坦バンド伝導体は、既に、絶縁性のプラスチックフィルムで覆われており、両方のタイプともに、好ましくは、接着剤によって、溶着技術（例えば超音波溶着）によって、又は積層によって、スペーサの外側に取り付けることができる。このようにして、既存のスペーサに、平坦バンド伝導体を容易に後付けすることができる。平坦バンド伝導体は、より線の代わりに金属フィルムを有するので、ケーブルの設置高さを、さらに低減することができる。さらには、平坦バンド伝導体は、平坦な表面を有しており、それにより、空気の包含のおそれが、さらに低減されるようになっている。
【００３８】
パターン化された回路基板（いわゆるフレキシブルプリント回路（ＦＰＣ））は、平坦バンド伝導体の別の形態である。これらは、本発明の代替的な実施態様において使用され、例えば、複数の分岐を有する複雑な伝導体構造が所望される場合に、使用される。
【００３９】
平坦バンド伝導体は、好ましくは、銅及び／又は銅合金を含有する。代替的には、他の電気伝導性材料を使用することもできる。例としては、アルミニウム、金、銀、又はスズ、及びそれらの合金が挙げられる。
【００４０】
電気供給ラインは、好ましくは、０．０８ｍｍ２〜２．５ｍｍ２の伝導体断面を有する。
【００４１】
箔伝導体の例が、独国特許出願公開第４２３５０６３号明細書、独国特許出願公開第２０２００４０１９２８６号明細書、及び独国実用新案第９３１３３９４号明細書に記載されている。
【００４２】
平坦バンド伝導体は、好ましくは、スズ引きされた銅のストリップでできており、０．０３ｍｍ〜０．４５ｍｍの厚み、及び０．２ｍｍ〜６．６ｍｍの幅を有する。銅は、そのような伝導体トラックに関して良好な結果をもたらすことが証明されており、なぜならば、これは、良好な電気伝導率及び箔への良好な加工性を有するからである。同時に、材料コストが低い。
【００４３】
本発明に関して、０．１ｍｍ〜０．４５ｍｍの厚み及び１．０ｍｍ〜７．０ｍｍの幅を有する平坦バンド伝導体が、特に好ましくは使用される。これは、良好な電気接触性、及び十分な通電容量を確実にする。これらの寸法の範囲において作られる矩形の断面は、本体における、リボンケーブルの幅にわたる十分に大きな接続表面、及び、リボンケーブルの低い厚みに起因してほんの小さい設置高さを、確実にするという利点を有する。
【００４４】
平坦バンド伝導体が複数の伝導体トラックを有する場合には、いわゆるグリッド寸法が、平坦バンド伝導体を記述するうえでの別の重要なパラメータである。グリッド寸法は、２つの平行な伝導体トラックの間の距離に言及しており、それぞれ、トラックの中央から計測され、慣用的な平坦バンド伝導体に関して、０．５ｍｍ〜２．５４ｍｍである。
【００４５】
本発明に関して、当業者に知られている広範囲のスペーサ本体を使用することができ、なぜならば、本発明に係る解決策は、任意のスペーサと適合するからである。
【００４６】
あり得る実施態様では、本発明に係るスペーサが、射出成型可能な熱可塑性スペーサであり、封止性の材料でできている。そのようなスペーサは、例えば、独国特許第６９６０７４７３号、及び国際告会第２０１５／１９７４９１号から知られており、通常、絶縁グレージングのペイン間空間に直接に押出される。リボンケーブルを、例えば、押出しされた本体の外側に接着又は溶着することができる。射出成型可能な熱可塑性スペーサは、通常、射出成型可能な封止性の材料の中に乾燥剤を含んでいる。
【００４７】
あり得る実施態様では、本発明に係る絶縁グレージングが、少なくとも１つの中空チャンバーを有するポリマー性又は金属性の本体を有するスペーサを有する。ポリマー本体を有する適切なスペーサが、例えば、国際公開第２０１３／１０４５０７号に開示されている。
【００４８】
当業者に知られている中空プロファイルスペーサは、少なくとも１つの中空チャンバーを、通常はポリマー性又は金属製である本体に、有している。中空チャンバーは、グレージング内側表面に隣接しており、グレージング内側表面が中空チャンバーの上方に位置しており、スペーサの外側表面が、中空チャンバーの下方に位置している。これに関して、「上方」は、絶縁グレージングの内部ペイン間空間に面しているとして規定され、「下方」は、ペイン内部から離れて面しているとして規定される。
【００４９】
スペーサの中空チャンバーは、中実で形成されたスペーサと比較して重量の低減をもたらし、追加的な構成要素、例えば乾燥剤を収容するために利用可能である。
【００５０】
本発明の好ましい実施態様では、本体が、金属性本体である。これは、金属スペーサは耐ガス漏洩性でありスペーサの外側表面を封止するためにバリアフィルムを必要としない、という利点を有する。金属本体は、好ましくは、アルミニウム又はステンレス鋼、特に好ましくはアルミニウムでできている。金属本体の場合には、本体と、リボンケーブルの電気伝導体との間に、電気絶縁があり、これは、電気伝導体と電気伝導性の金属本体との間の短絡を防止する。絶縁体は、例えば、本体への接続の前にリボンケーブルをすでに囲んでいる絶縁体（例えばプラスチックフィルム）からなっていてよい。これは、絶縁のための追加的な方策なしでリボンケーブルを本体に適用できるという利点を有する。好ましくは、これは、接着、積層、又は溶着によって行われる。絶縁体のないリボンケーブルを本体に適用する必要がある場合には、絶縁体を、構成要素の結合の際に、リボンケーブルと本体との間に提供する必要がある。これは、例えば、（少なくとも１０８Ωｃｍの固有抵抗の）非伝導性接着剤による接着によって、行ってよい。そのような接着剤を使用した積層も可能である。絶縁体のないリボンケーブルは、好ましくは金属箔ストリップである。これらは、金属箔から経済的に切り取ることができ、絶縁体を有する市販の平坦バンド伝導体と比較して、コスト節約をもたらしうる。金属箔ストリップの、スペーサの外側表面から離れて面している表面が、随意に、絶縁体を備えていてよい。本発明のあり得る実施態様では、さらなる絶縁層が、金属箔ストリップに適用されない。例えば、電気接続ケーブルを、平坦バンド伝導体に、まずこの領域において絶縁体を取り除く必要なく、直接に接続することができる。絶縁グレージングにおけるスペーサの組込みの後で、金属箔ストリップの近傍における外部ペイン間空間に、絶縁体として機能する外部封止剤を、充填する。
【００５１】
スペーサの別の好ましい実施態様では、スペーサが、ポリマー本体を有する。これは、有利であり、なぜならば、プラスチックの熱伝導率は、金属の熱伝導率よりも実質的に低いからである。さらには、ポリマー本体のプラスチックは、少なくとも１０８Ωｃｍの固有抵抗を有し、結果として、電流に関して非伝導性である。これは、特に有利であり、なぜならば、この場合には、本体と、リボンケーブルの電気伝導体との間に、さらなる絶縁体が必要でないからである。また、この場合には、外部絶縁体を有しており又は有していない、リボンケーブル、好ましくは平坦バンド伝導体を、ポリマー本体に適用することができる。結果として生ずる利点については、既述した。リボンケーブルは、ポリマー本体に接着、溶着、積層、又は共押出することができる。本体とリボンケーブルとを共押出する場合には、好ましくは、金属ストリップを、押出プロセスに導入し、ポリマー本体を、金属ストリップの上に押し出す。これは、有利であり、なぜならば、平坦バンド伝導体が、このようにして、追加的なプロセス工程なく、スペーサに統合され、リボンケーブルの完全に自動化された統合がもたらされるからである。
【００５２】
ポリマー本体を有するスペーサの使用は、特に有利であることが示されており、なぜならば、この場合には、物質的な結合のための上述のすべての方法、例えば共押出、接着、溶着、及び積層を、本体それ自体に容易に行うことができ、又は、本体のバリアフィルムの上若しくは中に行うことができるからである。さらには、端部封止の重要な中心的機能、例えば耐ガス漏洩性及び耐水漏洩性、低い熱伝達係数、乾燥剤の収容、及び、電気的接触のための供給ラインが、単一の構成要素の形態で利用可能になる。これは、絶縁グレージングの製造を、大幅に簡便化する。
【００５３】
リボンケーブルが絶縁体を有する場合には、これは、１０８Ωｃｍ以上の固有抵抗を有する。絶縁体は、好ましくは、ポリビニルクロリド、ポリエーテルナフタレート、ポリエチレン、ポリイミド、ゴム、ポリウレタン、及び／又は、ポリエステル群からのポリマーを含む。ポリエステル絶縁体は、経済的であるとともに環境的に適合性であり、かつ、平坦バンド伝導体を囲むフィルムの形態で、主に使用される。
【００５４】
本発明に係るスペーサがポリマー本体を有する場合には、本体の耐ガス漏洩性を改善するためのさらなる手段を提供してよい。好ましくは、耐ガス漏洩性でありかつ耐蒸気漏洩性であるバリアを、少なくとも、ポリマー本体の外側表面に適用し、好ましくは、外側表面及びペイン接触表面の一部に適用する。耐ガス漏洩性でありかつ耐蒸気漏洩性であるバリアは、スペーサの、ガス損失及び湿分侵入に対する耐漏洩性を向上させる。好ましくは、バリアが、ペイン接触表面の約半分から２／３に、適用される。ポリマー本体を有する適切なスペーサが、例えば、国際公開第２０１３／１０４５０７号に開示されている。
【００５５】
好ましい実施態様では、ポリマースペーサの外側表面における耐ガス漏洩性でありかつ耐蒸気漏洩性であるバリアが、フィルムとして実施される。このバリアフィルムは、少なくとも１つのポリマー層、及び、金属層又はセラミック層を有する。ポリマー層の層厚が、５μｍ〜８０μｍであり、１０ｎｍ〜２００ｎｍの厚みを有する金属層及び／又はセラミック層が、使用される。言及された層厚の範囲で、バリアフィルムの特に良好な耐漏洩性が達成される。バリアフィルムを、ポリマー本体に、例えば接着によって、適用してよい。代替的には、フィルムを、本体と一緒に共押出してよい。
【００５６】
バリアフィルムが、特に好ましくは、少なくとも１つのポリマー層と交互に配置される、少なくとも２つの金属層及び／又はセラミック層を含む。個々の層の層厚は、好ましくは、上記の段落で記載したとおりである。好ましくは、外側の層が、ポリマー層で形成されている。この配置では、金属層が、損傷に対して特に良好に保護される。バリアフィルムの交互の層を、互いに、種々の既知の従来技術の方法によって、結合してよく、又は適用してよい。金属層又はセラミック層を堆積する方法が、当業者に知られている。交互の層配列を有するバリアフィルムの使用は、システムの耐漏洩性の観点から、特に有利である。層のうちの１つにおける欠陥は、バリアフィルムの機能欠損をもたらさない。これと比較して、単層における小さな欠陥でさえも、完全な機能欠損をもたらしうる。さらには、複数の薄い層の適用は、１つの厚い層と比較して有利であり、なぜならば、内部接着の問題のおそれが、層厚が増加するとともに、増加するからである。また、比較的厚い層は、比較的高い伝導率を有し、そのため、そのようなフィルムは、熱力学的に比較的適切性が低い。
【００５７】
フィルムのポリマー層は、好ましくは、ポリエチレンテレフタレート、エチレンビニルアルコール、ポリビニリデンクロリド、ポリアミド、ポリエチレン、ポリプロピレン、シリコーン、アクリロニトリル、ポリアクリレート、ポリメチルアクリレート、及び／又は、これらのコポリマー若しくは混合物を含有する。金属層は、好ましくは、鉄、アルミニウム、銀、銅、金、クロム、及び／又はこれらの合金若しくは酸化物を含有する。フィルムのセラミック層は、好ましくは、ケイ素酸化物及び／又はケイ素窒化物を含む。
【００５８】
代替的な好ましい実施態様では、耐ガス漏洩性でありかつ耐蒸気漏洩性であるバリアが、好ましくは、コーティングとして実施される。コーティングは、アルミニウム、アルミニウム酸化物、及び／又は、ケイ素酸化物を含有し、好ましくは、ＰＶＤ法（物理気相堆積）によって適用される。これは、製造プロセスを実質的に簡略化することができる；なぜならば、ポリマー本体に、例えば押出によって、製造後にすぐにバリアコーティングが提供され、フィルムを適用するための別個の工程が必要ないからである。言及された材料を有するコーティングは、耐漏洩性の観点から特に良好な結果を提供し、かつ、追加的に、絶縁グレージングで使用される外部封止剤の材料に対する、優れた特性の接着を示す。
【００５９】
特に好ましい実施態様では、耐ガス漏洩性でありかつ耐蒸気漏洩性であるバリアが、コーティングとして実施される少なくとも１つの金属層又はセラミック層を有し、アルミニウム、アルミニウム酸化物、及び／又はケイ素酸化物を含有し、好ましくは、ＰＶＤ法（物理気相堆積）によって適用される。
【００６０】
ポリマー本体は、好ましくは、ポリエチレン（ＰＥ）、ポリカーボネート（ＰＣ）、ポリプロピレン（ＰＰ）、ポリスチレン、ポリブタジエン、ポリニトリル、ポリエステル、ポリウレタン、ポリメチルメタクリレート、ポリアクリレート、ポリアミド、ポリエチレンテレフタレート（ＰＥＴ）、ポリブチレンテレフタレート（ＰＢＴ）を含有し、好ましくは、アクリロニトリルブタジエンスチレン（ＡＢＳ）、アクリロニトリルスチレンアクリレート（ＡＳＡ）、アクリロニトリルブタジエンスチレン／ポリカーボネート（ＡＢＳ／ＰＣ）、スチレンアクリロニトリル（ＳＡＮ）、ＰＥＴ／ＰＣ、ＰＢＴ／ＰＣ、及び／又はこれらのコポリマー若しくは混合物を含有する。特に好ましい結果が、これらの材料で達成される。
【００６１】
ポリマー本体は、好ましくは、ガラス繊維強化されている。本体の熱膨張係数は、種々の値であってよく、かつ、本体におけるガラス繊維含有量の選択によって、調節してよい。ポリマー本体とバリアフィルム又はバリアコーティングとの熱膨張係数を調節することによって、種々の材料の間での熱誘導応力、及び、バリアフィルム又はバリアコーティングの剥離を回避することができる。本体は、好ましくは、２０％〜５０％のガラス繊維含有量、特に好ましくは３０％〜４０％のガラス繊維含有量を有する。同時に、ポリマー本体におけるガラス繊維含有量は、強度及び安定性を向上させる。
【００６２】
別の好ましい実施態様では、ポリマー本体が、中空ガラス球又はガラスバブルで充填されている。これらの中空ガラス球は、１０μｍ〜２０μｍの直径を有し、ポリマー中空プロファイルの安定性を向上させる。適切なガラス球を、商標「３ＭＴＭ  Ｇｌａｓｓ  Ｂｕｂｂｌｅｓ」で、市販品として得ることができる。ポリマー本体は、特に好ましくは、ポリマー、ガラス繊維、及びガラス球を含有する。ガラス球の混合は、中空プロファイルの熱特性の向上をもたらす。
【００６３】
リボンケーブルを、耐ガス漏洩性であり耐蒸気漏洩性であるバリアフィルムを介して、ポリマー本体を有するスペーサに直接に統合してもよい。平坦バンド伝導体が、それらの低い全体的な高さに起因して、好ましくは使用される。
【００６４】
第１の好ましい実施態様では、リボンケーブルを、ポリマー本体の外側表面と、耐ガス漏洩性であり耐蒸気漏洩性であるバリアフィルムとの間に統合する。この場合には、例えば、少なくとも１つの金属箔伝導体を、本体に、耐ガス漏洩性であり耐蒸気漏洩性であるバリアフィルムを取り付ける前に、適用してよく、耐ガス漏洩性であり耐蒸気漏洩性であるバリアを、ポリマー層が金属箔伝導体に隣接するように、金属箔伝導体に配置してよい。このようにして、構成要素を配置するだけで、既に、電気伝導体の、その周囲に対する電気絶縁が、提供される。リボンケーブルがバリアフィルムの金属層の近傍に配置される場合には、絶縁体又は絶縁性接着剤を、金属層と、リボンケーブルの電気伝導体との間に提供する。本体とバリアフィルムとの間におけるリボンケーブルの統合は、有利であり、リボンケーブルの統合のために、別個のプロセス工程を必要とせず、かつ、それを、本体に、バリアフィルムと同時に、接着、（好ましくは超音波溶着による）溶着、積層、又は共押出することができる。
【００６５】
第２の好ましい実施態様では、リボンケーブルが、好ましくは、ここでもまた、その構造的な高さに起因して平坦バンド伝導体であり、耐ガス漏洩性であり耐蒸気漏洩性であるバリアフィルムの中に、好ましくは２つのポリマー層に隣接して、延在している。構成要素の接続に関して、第１実施態様に関して記載した詳細が、適用される。第２の好ましい実施態様は、有利であり、なぜならば、例えば、バリアフィルムと本体との接着、積層、又は溶着の間に、リボンケーブルが、既にバリアフィルムに統合されているからである。このようにして、リボンケーブルを別個の構成要素として介入させる必要がなく、バリアフィルムとともに提供される。
【００６６】
第３の好ましい実施態様では、リボンケーブルが、耐ガス漏洩性であり耐蒸気漏洩性であるバリアフィルムの、本体の外側表面から離れて面している面に、付着される。ありうる結合技術、電気伝導体の絶縁の必要性、及び他の詳細に関して、第１及び第２の好ましい実施態様に関する記載が、適用される。第３の実施態様は、有利であり、なぜならば、電気伝導体を接触させる際に、耐ガス漏洩性であり耐蒸気漏洩性であるバリアフィルムを、接触の領域における場所で除去する必要がないからである。フィルムの除去は、外側表面の隣接する領域も損傷するおそれを有し、それにより、スペーサの漏洩を引き起こすおそれを有する。さらには、この実施態様では、リボンケーブルを、少なくとも１つの表面において絶縁されていない金属箔ストリップとして実施することもできる。これを、バリアフィルムを有する本体に、絶縁体を有しない表面が外部ペイン間空間の方向を向くようにして、適用する。このようにして、電気伝導体を剥ぐ必要が排除される。
【００６７】
特に好ましくは、記載した第１、第２、又は第３の実施態様に係るリボンケーブルを、バリアフィルムと一緒にポリマー本体に接着若しくは積層し、又は、ポリマー本体とバリアフィルムとの共押出の場合には、バリアフィルムの中、若しくは、層スタックにおけるバリアフィルムの表面のうちの１つの上に、統合する。
【００６８】
リボンケーブルは、好ましくは、本発明に係るスペーサで構成されるスペーサフレームの外側表面に沿って、少なくとも１０ｃｍ、特に好ましくは少なくとも２０ｃｍ、特には少なくとも３０ｃｍの長さにわたって、延在している。本発明の利点は、特に、外部ペイン間空間に自由に配置されている供給ラインの比較的長い部分を回避しうる場合に、その効果を発揮する；なぜならば、これらは、絶縁グレージングのさらなる加工において特に邪魔になるからである。
【００６９】
リボンケーブルは、電圧供給源と電気負荷とを接触させるために適している。絶縁グレージングにおける本発明に係るスペーサの取付けの後で、電圧供給源を、グレージング内部の外に配置し、電気負荷を、グレージング内部に配置する。
【００７０】
リボンケーブルを、好ましくは、電気負荷及び電圧供給源に、それぞれ、少なくとも１つの電気接続ケーブルによって、接触させる。電気接続ケーブルとして適している種々のケーブル形態が、当業者に知られている。少なくとも１つの電気接続ケーブルを、例えば、より伝導体又は平坦バンド伝導体として実施してよく、好ましくは、平坦バンド伝導体として実施する。好ましい実施態様において本体の外側に適用される平坦バンド伝導体は、その平坦な設計に起因して、電気接続ケーブルとして使用するために非常に良好に適している。絶縁グレージングに本発明に係るスペーサをアセンブルした後に、電気接続ケーブルを、例えば、第１又は第２ペイン接触表面に沿って、グレージング内部に延在させることができる。接続ケーブルの平坦な設計が、この場合には有利であり、それによって、接続ケーブルがグレージング内部に挿入される場所であっても、ペインとスペーサとを接続する封止剤の、可能な限り大きな層厚が得られる。さらには、電気接続ケーブルとしての平坦バンド伝導体が、接続ケーブルと外側表面に延在するリボンケーブルとの間の接触場所であっても、本体の外側表面に対して、非常に平坦に押し付けられている。好ましくは、全ての電気接続ケーブル、及び本体の外側表面に延在するリボンケーブルが、（金属箔を含む）平坦バンド伝導体として実施される。これは、全体として、可能な限り最も平坦な構造、及び最適な電気的接触を達成するために、有利である。
【００７１】
少なくとも１つの電気接続ケーブルが、スペーサの外側表面に位置するリボンケーブルに、はんだ付け、電気伝導性接着剤による接着、溶着（例えば超音波溶着）、又は、電気伝導体を接続するための当業者に知られている他の方法によって、電気伝導的に接続される。
【００７２】
好ましくは、リボンケーブルの絶縁体を、電気接続ケーブルの接触が起こることになっている領域において、取り除く。絶縁体を取り除くための適切な方法が、当業者に十分に知られている。これらは、例えば、機械的な方法、例えば、削り取り、研削、及びミリング、又はさらには、熱的な方法、例えば、プロセスガスによる熱剥離、若しくは（例えばＣＯ２レーザーによる）レーザー法による熱剥離を、含む。
【００７３】
あり得る実施態様では、少なくとも１つの電気接続ケーブルを、リボンケーブルに、リボンケーブルの領域においてスペーサに押し込まれている電気伝導性接触ピン、例えば金属ピンを介して、接触させる。接続ケーブルを、接触ピンに、電気的接触のための慣用的な方法によって、接続させる。外側表面に押し込まれる接触ピンを介する接触は、特には、バリアフィルムを有するポリマー本体の使用の場合に、有利である。この場合には、バリアフィルムへの望ましくない損傷を伴うことがある、存在する任意の電気絶縁体の除去が、排除される。
【００７４】
特に好ましい実施態様では、スペーサが、少なくとも１つの追加的なペインを溝に収容することができる二重スペーサである。これらは、例えば、三重グレージングとして使用され、第３ペインが、第１ペインと第２ペインとの間に溝に挿入される。そのようなスペーサは、とりわけ、国際公開第２０１４／１９８４３１号から知られている。
【００７５】
二重スペーサは、第１ペイン接触表面、及び、これに平行に延在する第２ペイン接触表面、グレージング内側表面、並びに外側表面を有する本体を、有する。基本的な構造は、二重グレージングに関して記載したスペーサに対応する。グレージング内側表面が、溝によって、２つのサブ領域にさらに分割されている。溝によって互いに離されている第１中空チャンバー及び第２中空チャンバーが、随意に、本体に導入される。第１中空チャンバーが、グレージング内側表面の第１サブ領域に隣接しており、第２中空チャンバーが、グレージング内側表面の第２サブ領域に隣接しており、グレージング内側表面が、中空チャンバーの上方に位置しており、かつ、外側表面が、中空チャンバーの下方に位置している。これに関して、「上方」は、本発明に係るスペーサを有している絶縁グレージングのペイン内部に面しているとして定義され、「下方」は、ペイン内部から離れて面しているとして定義される。溝が、第１グレージング内側表面と第２グレージング内側表面との間に延在しているので、溝は、これらの内側表面を、横方向で画定しており、かつ、第１中空チャンバーと第２中空チャンバーとを、互いに分離している。溝の側方面が、第１中空チャンバー及び第２中空チャンバーの壁によって、形成されている。代替的には、溝の側方の空間が、中空チャンバーではなく中実であってもよい。溝は、絶縁グレージングの中央ペイン（第３ペイン）を収容するために適しているくぼみを形成する。第３ペインの位置が、このようにして、溝の２つの側方面及び溝の底部表面によって、規定される。第１及び第２ペインを、スペーサの第１及び第２ペイン接触表面に取り付けることができる。
【００７６】
リボンケーブルの、二重スペーサの外側表面における延在、及び、その設計の詳細は、溝を有しないスペーサの、既述した詳細と同様である。しかしながら、三重又は複層の絶縁グレージングのためのスペーサの場合には、電気接続ケーブルをグレージング内部に挿入する追加的な可能性が存在する。電気接続ケーブルを、第１又は第２ペイン接触表面に沿ってグレージング内部に延在させることができるだけではなく、溝の中に挿入することもできる。これは、有利であり、なぜならば、このようにして、絶縁グレージングの第３ペインに位置する電気的に切り替え可能な機能性要素を、溝の中で電気的に接触させることができ、観察者に対して不可視になるからである。
【００７７】
随意に、本発明に係る二重スペーサの溝が、挿入体を有する。挿入体は、ペインの滑り、及び、ウィンドウの開け閉めの間に結果として発生する騒音を防止する。挿入体は、また、温度上昇の間に第３ペインの熱拡張を補償し、それにより、環境条件に関わらず、応力のない固定を確保する。挿入体は、電気接触の領域においてくぼみを有していてよく、それによって、接触のために必要な空間を提供する。
【００７８】
本発明の特に好ましい実施態様では、スペーサが、第３ペインを収容するための少なくとも１つの溝を有する三重グレージングのためのスペーサであり、溝が、進入開口部を、好ましくは溝の底部表面に、有する。これは有利であり、なぜならば、進入開口部が、スペーサの設置状態において、観察者に対して可視的でなく、同時に、隣接するペインへのスペーサの結合が、通過するケーブルによって影響を受けないからである。
【００７９】
好ましくは、溝が、第３ペインの電気的に切り替え可能な機能性要素と電気伝導的に接触する接触要素を、含む。特に好ましくは、接触要素が、溝の進入開口部を通って突き出しており、スペーサから出て、その外側表面に位置する。結果として、接触要素のこの部分が、本体の外側に配置されるリボンケーブルの直ぐ近傍に位置し、そのようにして、簡便な様式で、電気接続ケーブル介してそれによって接触することができる。
【００８０】
好ましくは、スペーサのグレージング内側表面が、少なくとも１つの開口部を有する。好ましくは、複数の開口部が、グレージング内側表面に形成される。開口部の合計の数は、絶縁グレージングのサイズに依存する。開口部は、中空チャンバーを内部ペイン間空間に接続し、それらの間でのガス交換を可能にする。これは、中空チャンバーに位置する乾燥剤による周囲雰囲気の湿分の吸収を可能にし、そのようにして、ペインの曇りが防止される。開口部は、好ましくは、スリットとして実施され、特に好ましくは、０．２ｍｍの幅及び２ｍｍの長さを有するスリットとして実施される。スリットは、乾燥剤が、中空チャンバーから内部ペイン間空間へと侵入することができることなく、最適な空気交換を確保する。
【００８１】
スペーサは、好ましくは、ペイン接触表面に沿って、５ｍｍ〜１５ｍｍ、特に好ましくは５ｍｍ〜１０ｍｍの高さを有する。
【００８２】
グレージング内側表面の幅、又はグレージング内側表面のサブ領域の幅は、絶縁グレージングの２つの隣接するペインの間の距離を規定し、４ｍｍ〜３０ｍｍ、好ましくは８ｍｍ〜１６ｍｍである。
【００８３】
本発明は、さらに、本発明に係るスペーサを有する絶縁グレージングを含む。絶縁グレージングは、少なくとも、第１ペイン、第２ペイン、及び、ペインの周囲にあるリボンケーブルを有する本発明に係るスペーサを、有する。
【００８４】
絶縁グレージングのグレージング内部は、スペーサのグレージング内側表面に隣接して配置される。他方で、スペーサの外側表面は、外部ペイン間空間に隣接する。第１ペインが、スペーサの第１ペイン接触表面に付着し、第２ペインが、スペーサの第２ペイン接触表面に付着する。
【００８５】
絶縁グレージングのグレージング内部に、電気的に切り替え可能な機能性要素があり、その電圧供給が、スペーサの外側表面に位置するリボンケーブルを介して提供される。この目的のために、リボンケーブルが、１つの場所で、電圧供給源と、電気接続ケーブルを介して接触し、少なくとも１つの他の場所で、グレージング内部における電気的に切り替え可能な機能性要素に、電気接続ケーブルを介して、電気伝導的に接続される。例えば、リボンケーブルの種々のワイヤを、異なる極を離すために使用することができる。
【００８６】
第１及び第２ペインは、ペイン接触表面に、好ましくは、第１ペイン接触表面と第１ペインとの間かつ／又は第２ペイン接触表面と第２ペインとの間に適用される封止剤を介して、付着する。
【００８７】
封止剤は、好ましくは、ブチルゴム、ポリイソブチレン、ポリエチレンビニルアルコール、エチレンビニルアセテート、ポリオレフィンゴム、ポリプロピレン、ポリエチレン、コポリマー、及び／又は、これらの混合物を含有する。
【００８８】
封止剤は、好ましくは、スペーサとペインとの間の隙間に、０．１ｍｍ〜０．８ｍｍ、特に好ましくは０．２ｍｍ〜０．４ｍｍの厚みで、導入される。
【００８９】
絶縁グレージングの外部ペイン間空間は、好ましくは、外部封止剤で充填される。この外部封止剤は、主に、２つのペインを結合する役割を有し、かつ、そのようにして、絶縁グレージングの機械的安定性をもたらす。
【００９０】
外部封止剤は、好ましくは、ポリスルフィド、シリコーン、シリコーンゴム、ポリウレタン、ポリアクリレート、コポリマー、及び／又はこれらの混合物を含有する。そのような材料は、ガラスに対する非常に良好な接着を有し、それにより、外部封止が、ペインの強固な結合を確保するようになる。外部封止剤の厚みは、好ましくは、２ｍｍ〜３０ｍｍ、特に好ましくは５ｍｍ〜１０ｍｍである。
【００９１】
外部封止は、リボンケーブルを、環境に対して絶縁する役割も有することができる。これは、リボンケーブルの、スペーサから離れて面している表面の外側に、別個の絶縁体が適用されていない場合である。これは、有利であり、なぜならば、まず最初に絶縁体を取り除く必要なく、リボンケーブルを、電気接続ケーブルに接触させることができるからである。したがって、環境に対する、アセンブリの隔離は、外部ペイン間空間の充填までは起こらない。外部封止剤の材料を選択する際に、適用される電圧の大きさを考慮し、それによって、十分な絶縁特性を有する封止材料を選択する必要がある場合がある。記載された封止材料の電気抵抗が、文献から知られており、そのため、当業者は、努力をほとんど必要とすることなく、そのような評価を行うことができる。しかしながら、グレージングにおいて慣用的な切り替え可能な機能性要素の多くは、低い電圧しか必要とせず、そのため、通常は、十分な絶縁が、記載されたすべての材料で問題なく可能である。
【００９２】
電気的に切り替え可能な機能性要素の設計に応じて、異なる極性を有しており、異なる場所で電気的に切り替え可能な機能性要素と接触する、複数のリボンケーブル又はケーブのワイヤが存在してよい。
【００９３】
電気的に切り替え可能な光学特性を有する実際の機能要素は、少なくとも、２つの電気伝導層及び１つの活性層によって形成される。電気伝導層は、表面電極を形成する。表面電極に電圧を適用することによって、又は、表面電極に適用される電圧を変化させることによって、活性層の光学特性、特には、可視光の透過率及び／又は散乱に、影響を及ぼすことができる。
【００９４】
電気伝導層は、好ましくは、透明である。電気伝導層は、好ましくは、少なくとも、金属、金属合金、又は、透明伝導性酸化物（ＴＣＯ）を含有する。電気伝導層は、好ましくは、少なくとも１つの透明伝導性酸化物を含有する。
【００９５】
電気伝導層は、好ましくは、１０ｎｍ〜２μｍ、特に好ましくは２０ｎｍ〜１μｍ、最も特に好ましくは３０ｎｍ〜５００ｎｍ、特には５０ｎｍ〜２００ｎｍの厚みを有する。これにより、活性層の有利な電気的接触が達成される。
【００９６】
電気伝導層は、少なくとも１つの外部電圧源に電気伝導的に接続されることが意図されており、それによって、切り替え可能な機能性要素の表面電極として、機能する。
【００９７】
実際の切り替え可能な機能性要素は、原則として、当業者にそれ自体知られている電気的に切り替え可能な特性を有する任意の機能性要素であってよい。活性層の設計は、機能性要素のタイプに依存する。
【００９８】
本発明の有利な実施態様では、エレクトロクロミック機能性要素が、内部ペイン間空間に含まれている。この場合には、複層フィルムの活性層が、電気化学的に活性な層である。可視光の透過率が、活性層におけるイオン蓄積の割合に依存し、イオンが、例えば、活性層と表面電極との間のイオン蓄積層によって、提供される。表面電極に適用される電圧によって、透過率に影響を及ぼすことができ、表面電極に適用される電圧が、イオンの移動を引き起こす。適切な活性層は、例えば、少なくともタングステン酸化物又はバナジウム酸化物を含有する。エレクトロクロミック機能性要素が、例えば、国際公開第２０１２／００７３３４号、米国特許出願公開第２０１２００２６５７３号明細書、国際公開第２０１０１４７４９４号、及び欧州特許出願公開第１８６２８４９号明細書から、知られている。
【００９９】
本発明の別の有利な実施態様では、ＰＤＬＣ機能性要素（ポリマー分散液晶）が、内部ペイン間空間に配置される。活性層が、液晶を含有し、この液晶が、例えば、ポリマーマトリックスに埋め込まれている。電圧が表面電極に適用されない場合には、液晶はランダムに配向し、活性層を通過する光の強い散乱をもたらす。電圧が表面電極に適用される場合には、液晶が１つの共通の方向に整列し、活性層を通る光の透過率が、増加する。そのような機能性要素が、例えば、独国特許出願公開第１０２００８０２６３３９号明細書から知られている。
【０１００】
本発明の別の有利な実施態様では、絶縁グレージングが、内部ペイン間空間に、エレクトロルミネッセント機能性要素を有する。活性層が、エレクトロルミネッセント材料を含有し、これは、無機又は有機（ＯＬＥＤ）であってよい。電極表面への電圧の適用が、活性層の発光を促す。そのような機能性要素が、例えば、米国特許出願公開第２００４２２７４６２号明細書、及び国際公開第２０１０１１２７８９号から知られている。
【０１０１】
本発明の別の有利な実施態様では、電気的に切り替え可能な機能性要素が、ＳＰＤ機能性要素である（懸濁粒子装置）。活性層が、懸濁粒子を含有し、懸濁粒子が、好ましくは、粘性マトリックスに埋め込まれている。活性層による光の吸収を、表面電極における電圧の適用によって変化させることができ、これは、懸濁粒子の配向における変化をもたらす。そのような機能性要素が、例えば、欧州特許第０８７６６０８号明細書、及び国際公開第２０１１０３３３１３号明細書から、知られている。
【０１０２】
活性層及び電気伝導層に加えて、電気的に切り替え可能な機能性要素は、無論、それ自体知られている他の層、例えば、バリア層、ブロッキング層、反射防止層若しくは反射層、保護層、及び／又は平滑層を有することができる。
【０１０３】
電気的に切り替え可能な機能性要素は、代替的に、電気的に加熱可能なコーティング、絶縁性グレージングに統合された光起電コーティング、及び／又は薄フィルムトランジスタ系液晶ディスプレイ（ＴＦＴ系ＬＣＤ）を有することもできる。
【０１０４】
電気的に切り替え可能な機能性要素を、内部ペイン間空間の任意の所望の場所に配置することができる。好ましくは、電気的に切り替え可能な機能性が、絶縁グレージンのペインの、内部ペイン間空間に位置している表面のうちの１つに、配置される。
【０１０５】
二重グレージングの場合には、電気的に切り替え可能な機能性が、好ましくは、第１ペイン及び／又は第２ペインの、内部ペイン間空間に面している表面に、付着される。
【０１０６】
特に好ましくは、本発明に係る絶縁グレージングが、三重又は複層絶縁グレージングである。この場合には、電気的に切り替え可能な機能性要素が、好ましくは、第１ペインと第２ペインとの間に配置される第３ペイン又は追加的な他のペインに、適用される。
【０１０７】
本発明の特に好ましい実施態様では、絶縁グレージングが、少なくとも、３つのペイン及び、溝を有する二重スペーサを有し、この溝に、第３ペインが挿入される。第１及び第２ペインは、ペイン接触表面に押し付けられる。この場合には、電気的に切り替え可能な機能性要素が、第３ペインの表面のうちの１つに適用される。リボンケーブルと電気的に切り替え可能な機能性要素との間の電気接触が、特に有利な様式で、スペーサの外側表面を通る接触要素を介して、行われる。代替的には、電気接続ケーブルを、進入開口部を通して溝の中に延在させ、そこで、接触要素に接続することもできる。しかしながら、接触要素の、溝から外への延在が比較的簡便であり、なぜならば、接触要素は、通常、接続ケーブルよりも比較的高い機械的な剛性を有しているからである。さらには、スペーサの外側表面における、接続ケーブルと接触要素との間の電気的な接触は、空間的な考慮に起因して、溝内における場合よりも、実施が比較的容易である。機能性要素の、接触要素を介した電気的な接触が、完全に溝の中に位置し、絶縁グレージングのアセンブルの後には、観察者に対して可視的でなくなる。
【０１０８】
接触要素と機能性要素の電気伝導層との電気的な接続は、好ましくは、いわゆるバスバーによって行われ、バスバーは、例えば、電気伝導性材料のストリップ又は電気伝導性インプリントのストリップであり、これに、電気伝導層が接続される。バスバーは、電力を伝達するために使用され、均一な電圧分布を可能にする。バスバーは、有利には、伝導性ペーストをプリントすることによって、製造される。伝導性ペーストは、好ましくは、銀粒子及びガラスフリットを含有する。伝導性ペーストの層厚は、好ましくは、５μｍ〜２０μｍである。
【０１０９】
代替的な実施態様においては、好ましくは銅及び／又はアルミニウムを含有する、薄くかつ狭い金属箔ストリップ又は金属ワイヤが、バスバーとして使用され、特には、約５０μｍの厚みを有する銅箔ストリップが、使用される。銅箔ストリップの幅は、好ましくは、１ｍｍ〜１０ｍｍである。表面電極として機能する機能性要素の電気伝導層とバスバーとの間の電気的な接触が、例えば、はんだ付けによって、又は、電気伝導性接着剤による接着によって、確立されてよい。
【０１１０】
本発明の有利な実施態様では、電気的に切り替え可能な機能性要素を有する第３ペインが、二重スペーサの溝に挿入され、バスバーが、第３ペインのペイン端部に沿ってプリントされる。バスバーは、スペーサの溝へのペインの挿入の後でバスバーが溝によって完全に隠されるような、寸法を有する。したがって、最も近接するペイン端部に対して垂直に計測されるバスバーの高さは、スペーサの溝の高さから、バスバーと、最も近接するペイン端部との間の距離を、差分したものである。好ましくは、溝が、３ｍｍ〜１０ｍｍ、特に好ましくは３ｍｍ〜６ｍｍ、例えば５ｍｍの高さを有し、かつ、バスバーの高さが、２ｍｍ〜９ｍｍ、好ましくは２ｍｍ〜５ｍｍである。バスバーから、最も近接するペイン端部への距離は、例えば、１ｍｍである。
【０１１１】
このようにして、バスバーを使用する場合であっても、溝の中にあって、観察者に対して不可視である接触を作成することが、可能となる。代替的には、バスバーが、ペインの可視的な領域に依然として位置してよく、最も近接するペイン端部から、所望の距離であってよい。随意に、バスバーを、装飾要素、例えば、スクリーンプリントによって、隠してよい。
【０１１２】
好ましくは、溝を有する二重スペーサが、ポリマー本体を有し、これによって、スペーサの溝の中の通電構成要素と、スペーサの金属本体との間の短絡が回避される。代替的には、金属本体と通電構成要素との直接の接触を防止する適切な絶縁体が金属本体の溝に挿入される場合には、金属本体を使用してもよい。しかしながら、これは、製造プロセスが複雑であり、欠陥の潜在的な原因をもたらし、そのため、ポリマー本体の使用が好ましく、また、低減された熱伝導率の観点でのさらなる利点を考慮しても、ポリマー本体の使用が好ましい。
【０１１３】
電気的接続ケーブルとバスバーとの間の電気接触は、接触要素を介して間接的であってもよく、又は直接的であってもよい。接触要素は、接続の機械的な安定性及び望ましくない電圧低下の最小化の観点から、バスバーへの可能な限り最良の接続を達成するために使用される。接触要素をバスバーに電気伝導的に固定するための適切な手段が、当業者に知られており、例えば、はんだ付けによって、又は、伝導性接着剤による接着によって、固定される。
【０１１４】
好ましくは、接触要素が、バネ接触体として実施される。これは、特に有利であり、なぜならば、このようにして、接触要素とバスバーとの可逆的な接続がもたらされ、バスバーを担持しているペインをスペーサの溝に挿入することによって、直ぐに、接触要素とバスバーとの間の電気的接触が、既に形成されるからである。
【０１１５】
絶縁グレージングの１ペイン、第２ペイン、及び／又は第３ペインは、好ましくは、ガラスを含有し、特に好ましくは、石英ガラス、ホウケイ酸ガラス、ソーダ石灰ガラス、及び／又はこれらの混合物を含有する。絶縁グレージングの第１及び／又は第２ペインは、熱可塑性ポリマーペインを含有してもよい。熱可塑性ポリマーペインは、好ましくは、ポリカーボネート、ポリメチルメタクリレート、並びに／又は、これらのコポリマー及び／若しくは混合物を含有する。絶縁グレージングの追加的なペインが、第１、第２、及び第３ペインに関して言及したのと同一の構成を有してよい。
【０１１６】
第１ペイン及び第２ペインが、２ｍｍ〜５０ｍｍ、好ましくは２ｍｍ〜１０ｍｍ、特に好ましくは４ｍｍ〜６ｍｍの厚みを有し、２つのペインが、異なる厚みを有していてもよい。
【０１１７】
第１ペイン、第２ペイン、及び他のペインが、単層ペイン安全ガラス、熱的又は化学的に強化されたガラス、フロートガラス、超クリア鉄低含有フロートガラス、カラーガラス、又は、これらの構成要素の１又は複数を有する積層安全ガラスでできていてよい。これらのペインは、所望の、任意の他の構成要素又はコーティング、例えば、ｌｏｗ−Ｅ層又は他の太陽光保護コーティングを有してよい。
【０１１８】
第１ペイン、第２ペイン、及びスペーサの外側表面によって画定される外部ペイン間空間が、少なくとも部分的に、好ましくは完全に、外部封止剤で充填される。このようにして、端部封止の非常に良好な機械的安定性が達成される。さらには、封止剤が、均圧体を取り囲み、これを、外部からの機械的な影響に対して保護する。
【０１１９】
好ましくは、外部封止剤が、ポリマー又はシラン修飾ポリマー、特に好ましくは、有機ポリスルフィド、シリコーン、室温加硫（ＲＶＴ）シリコーンゴム、過酸化物加硫シリコーンゴム、及び／若しくは添加加硫シリコーンゴム、ポリウレタン、並びに／又はブチルゴムを、有する。
【０１２０】
第１ペイン接触表面と第１ペインとの間の封止剤、又は第２ペイン接触表面と第２ペインとの間の封止剤が、好ましくは、ポリイソブチレンを含有する。ポリイソブチレンは、架橋ポリイソブチレン又は非架橋ポリイソブチレンであってよい。
【０１２１】
絶縁グレージングは、随意に、保護ガス、好ましくは希ガス、好ましくはアルゴン又はクリプトンで充填され、これは、絶縁グレージングのペイン空間における熱伝達値を低減する。
【０１２２】
原則として、種々の絶縁グレージングの形状が可能であり、例えば、矩形、台形、及び丸みを帯びた形状が可能である。丸みを帯びた形状を製造するために、スペーサを、例えば、加熱された状態で曲げてよい。
【０１２３】
絶縁グレージングのコーナーにおいて、スペーサを、例えば、コーナーコネクタを介して、互いにつなぎ合わせる。そのようなコーナーコネクタは、例えば、封止を有する成形プラスチック部品として実施してよく、そこにおいて、２つのスペーサが当接する。コーナーコネクタを介して一緒に差し込まれる２つのスペーサのリボンケーブルを、コーナー領域において、例えば、外部ペイン間空間に延在する電気接続ケーブルを介して、接続することができる。
【０１２４】
別の好ましい実施態様では、スペーサが、グレージングのコーナーにおいてて離れておらず、要求される角度でコーナーコネクタによって接続されてはおらず、代わりに、加熱下で、対応するコーナー形状へと、曲げられている。これは、有利であり、なぜならば、このようにして、グレージングの端部の周囲にわたって連続的なリボン伝導体が存在することとなるからである。このようにして、電気接続ラインが、コーナー領域においても、確保される。
【０１２５】
本発明は、さらに、下記の工程を有する、本発明に係る絶縁グレージングの製造方法を、含む：
（ａ）統合されたリボンケーブルを有するスペーサを提供すること、
（ｂ）スペーサを、第１ペインと第２ペインとの間に、それぞれスペーサのペイン接触表面を介して、封止剤によって、取り付け、かつ、電気的に切り替え可能な機能性要素を、グレージング内部に導入すること、
（ｃ）ペインアセンブリを押圧すること、
（ｄ）外部封止剤を、外部ペイン間空間に導入すること。
【０１２６】
工程（ｂ）において、リボンケーブルを、電気的に切り替え可能な機能性要素によって、接触させる。この目的のために、リボンケーブルの部分を、電気的に切り替え可能な機能性要素に、電気接続ケーブルを介して、接触させる。
【０１２７】
電気的に切り替え可能な機能性要素を、グレージング内部に、工程（ｂ）におけるペインの取付けと同時に、導入する；なぜならば、これは、通常、アセンブリ後には絶縁グレージングの内部に位置するペインの表面のうちの１つに取り付けられるからである。
【０１２８】
工程（ｂ）に係る、ペインの、ペイン接触表面への結合は、所望の任意の順番で行ってよい。随意に、２つのペインの、ペイン接触表面への結合を、同時に行ってもよい。
【０１２９】
工程（ｄ）において、外部ペイン間空間を、少なくとも部分的に、好ましくは完全に、外部封止剤で充填する。外部封止剤は、好ましくは、外部ペイン間空間に直接に、例えば、可塑性封止化合物の形態で、押出される。
【０１３０】
好ましくは、ペインの間のグレージング内部を、アセンブリの押圧（工程ｃ）の前に、保護ガスで充填する。
【０１３１】
製造されるグレージングが、少なくとも１つの溝を有する二重スペーサを有する複層グレージングである場合には、少なくとも第３ペインを、工程（ｂ）の前に、スペーサの溝に挿入する。
【０１３２】
本発明は、さらに、本発明に係るスペーサの、電気的に切り替え可能な機能性要素を有する絶縁グレージングにおける使用、特に好ましくは、二重又は三重絶縁グレージングにおける使用、特には、ＳＰＤ機能要素、ＰＤＬＣ機能要素、エレクトロクロミック機能要素、又はエレクトロルミネッセント機能要素を有する二重又は三重グレージングにおける使用を、含む。電気的に切り替え可能な機能性要素を有するこれらのグレージングのすべてにおいて、グレージング内部への電圧供給が必要であり、そのため、電気供給ラインを、外部ペイン間空間からグレージング内部へと延在させる必要があり、本発明に係るスペーサの使用によって、これが、実質的に向上する。
【０１３３】
本発明を、下記で、図面を参照して詳細に説明する。図面は、純粋な概略図であり、縮尺どおりではない。これらは、決して本発明を限定しない。
【０１３４】
図１は、金属本体５、及び、本体５の外側にあるリボンケーブル１４を有する、本発明に係るスペーサＩの概略図を描写している。金属本体５は、２つのペイン接触表面７．１及び７．２、グレージング内側表面８、外側表面９、及び中空チャンバー１０を有する中空体プロファイル材である。本体５が、アルミニウムでできている。外側表面９は、角度の付いた形状を有しており、外側表面の、ペイン接触表面７．１及び７．２に隣接する部分が、ペイン接触表面７．１及び７．２に対して３０°の角度で傾斜している。これは、本体５の安定性を向上させる。中空体１０が、乾燥剤１１で充填されている。分子ふるいが、乾燥剤１１として使用されている。スペーサＩのグレージング内側表面８が、開口部１２を有しており、これは、グレージング内側表面８に沿って周縁的に一定の間隔で形成されており、それによって、絶縁グレージングの内部と中空チャンバー１０との間のガス交換を可能にしている。そのようにして、内部に存在する周囲雰囲気湿分が、乾燥剤１１によって吸収される。開口部１２が、０．２ｍｍの幅及び２ｍｍの長さを有するスリットとして実施されている。リボンケーブル１４が、２ワイヤ平坦バンド伝導体として設計されており、ポリエチレンテレフタレートでできている絶縁体１８によって囲まれている２つの銅箔ストリップからなる平坦積層ケーブルの形態であり、スペーサＩの外側面９に適用されている。平坦バンド伝導体１４の通電ワイヤが、絶縁体１８によって囲まれており、絶縁体１８が、ワイヤを、互いに対して絶縁するとともに、本体５及び環境に対して絶縁する。リボンケーブル１４は、ホットメルト接着剤によって付着しており、ホットメルト接着剤は、スペーサＩの外側表面９を、絶縁体１８に物質的に結合させている。
【０１３５】
図２ａは、本発明に係るスペーサＩを有する本発明に係る絶縁グレージングＩＩを描写している。本発明に係るスペーサＩが、周縁的に、第１ペイン１９と第２ペイン２０との間に、封止剤４を介して取り付けられている。封止剤４が、スペーサＩのペイン接触表面７．１及び７．２を、ペイン１９及び２０に接続している。スペーサＩのグレージング内側表面８に隣接するグレージング内部３が、ペイン１９、２０、及びスペーサＩによって画定される空間として、規定される。スペーサＩの外側表面９に隣接する外部ペイン間空間１３は、グレージングの、ストリップ形状の周縁部分であり、そのそれぞれの１つの側において、２つのペイン１９、２０によって画定されており、かつ別の側において、スペーサＩによって画定されており、その４番目の端部が、開かれている。グレージング内部３が、アルゴンで充填されている。ペイン１９、２０とスペーサＩとの間の隙間を封止する封止剤４が、それぞれ、ペイン接触表面７．１又は７．２と、隣接するペイン１９又は２０との間に導入されている。封止剤４が、ポリイソブチレンである。外側表面９において、第１ペイン１９と第２ペイン２０とを結合する役割を有する外部封止剤６が、外部ペイン間空間１３に適用されている。外部封止剤６が、シリコーンでできている。外部封止剤６が、第１ペイン１９及び第２ペイン２０のペイン端部と面一で終端している。グレージング内部３に面するペインにおいて、第２ペイン２０が、電気的に切り替え可能な機能性要素１を有し、この要素１が、機能性要素１の電気的接触のためのバスバー２２を備えている。電気的に切り替え可能な機能性要素１が、エレクトロクロミック層である。スペーサＩは、基本的に、図１に記載されているものに対応する。それとは対照的に、スペーサＩが、ポリマー本体５を有している。ポリマー本体５は、スチレンアクリロニトリル（ＳＡＮ）、及び約３５重量％のガラス繊維を有する。ポリマー本体５を通るグレージング内部への熱伝達を低減する（図示されていない）バリアフィルムが、スペーサＩの外側表面９に適用されている。バリアフィルムが、ポリエチレンテレフタレート製であり１２μｍの厚みを有する４つのポリマー層、及び、アルミニウム製であり５０ｎｍの厚みを有する３つの金属層を、含む。金属層及びポリマー層が、それぞれ交互に配置されており、２つの外側層が、ポリマー層で形成されている。図１とは対照的に、図２ａのリボンケーブル１４は、さらなる絶縁体を有していない、ワイヤとしての２つの銅箔ストリップの形態で、設計されている。バリアフィルムの外側層がポリマー層で形成されており、これは電流に対して非伝導性なので、リボンケーブル１４の絶縁は、必要ではない。外部ペイン間空間１３に挿入されるシリコーンでできている外部封止剤６も、環境に対する電気絶縁として機能する。図２ａに係る断面で見られるように、リボンケーブル１４が、電気接続ケーブル１５によって接触されている。接続ケーブル１５が、リボンケーブル１４の１つのワイヤにはんだ付けされており、そのようにして、電気伝導性の接触が形成されている。リボンケーブルの２つのワイヤが、異なる極を有している。電気接続ケーブル１５が、リボンケーブル���４から出発して、封止剤４の中をスペーサＩの第２ペイン接触表面７．２に沿って延在し、グレージング内部３に入っている。電気接続ケーブル１５が、そこで、接触要素２を介して、バスバー２２と接触している。接触要素２は、いわゆる圧着コネクタであり、電気接続ケーブル１５と接触要素２との間の接続は、ケーブルを、圧着コネクタに押し込み、かつ、圧着コネクタの他方の末端を、バスバー２２にはんだ付けすることによって、行われる。外側表面９に物質的に結合したリボンケーブル１４の伝導体の延在の結果として、外部ペイン間空間１３に伝導体ラインがほぼなくなり、それにより、妨害されない自動充填を、外部封止剤６によって行うことができるようになる。
【０１３６】
図２ｂは、図２ａに係る本発明に係る絶縁グレージングＩＩの全体図を描写している。スペーサＩの外側表面９に延在するリボンケーブル１４と、電気的に切り替え可能な機能性要素１のバスバー２２との、図２ａに記載されている接触は、絶縁グレージングＩＩの２つの対向する端部で行われており、反対の極を有するリボンケーブル１４のワイヤが、それぞれ、電気接続ケーブル１５を介して、両方の端部で接触している。図２ａに記載されているように、両方の端部において、電気接続ケーブル１５が、グレージング内部３に、第２ペイン接触表面７．２に沿って進入し、接触要素２を介してバスバー２２と電気伝導的な接触を形成している。スペーサＩが、絶縁グレージングＩＩのコーナーにおいて曲げられており、それにより、リボンケーブル１４が、グレージングのコーナーにおいても、スペーサＩの外側面９に連続的であるようになっている。リボンケーブル１４の２つのワイヤが、それぞれ、互いの近くで、別の電気接続ケーブル１５に接続しており、それによって、電圧源２３に接続している。電圧源２３は、エレクトロクロミック機能性要素１を駆動するためのＤＣ電圧源であり、グレージングの外に位置している。それぞれ平坦バンド伝導体１４のワイヤの１つに接続している電気接続ケーブル１５が、電圧源の異なる極に接続しており、それにより、２つの対向するバスバー２２の間に、電位における差異が生ずるようになっている。バスバー２２に適用される電圧は、エレクトロクロミック機能性要素の活性層の中でイオン移動を引き起こし、これが、その透過性に影響を及ぼす。リボンケーブル１４が、本体５を、その全周縁部に沿って囲んでいる；なぜならば、統合されたリボンケーブル１４を既に備えていた１つのスペーサＩを、スペーサフレームを製造するために使用したからである。明確さのために、図２ａでは、エレクトロクロミック機能性要素１を接続するために使用されるリボンケーブル１４の部分のみを、示している。
【０１３７】
図３ａ及び図３ｂは、本発明に係るスペーサＩのポリマー本体５の外側面９の上の耐水漏洩性かつ耐蒸気漏洩性であるバリアフィルム１６の詳細を描写しており、それぞれ、銅箔伝導体製の２つのワイヤを有するリボンケーブル１４が、バリアフィルム１６の異なる場所に付着している。スペーサＩは、その形状及びその材料組成の点で、図２ａに記載されているものに対応している。グレージング内部５へのポリマー本体５を通る熱伝達を低減する、耐水漏洩性かつ耐蒸気漏洩性であるバリアフィルムが、図３ａ及び図３ｂのスペーサＩの外側表面９に適用されている。図３ａのバリアフィルム１６が、ポリエチレンテレフタレート製であり１２μｍの厚みを有する３つのポリマー層１６．１、及び、５０ｎｍの厚みを有するアルミニウムの３つの金属層１６．２を有している。金属層１６．２及びポリマー層１６．１が、それぞれ、交互に適用されており、２つの外側層が、ポリマー層１６．１によって形成されている。リボンケーブル１４が、耐水漏洩性かつ耐蒸気漏洩性であるバリアフィルム１６と一緒に、本体５に積層されている（図３ａ）。リボンケーブル１４の銅箔ストリップが、本体５に配置されており、バリアフィルム１６の層によって覆われており、かつ、本体５の上に、バリアフィルムとともに、接着剤を使用して、積層されている。本体５に隣接しているポリマー層１６．１が、リボンケーブル１４を取り囲んでおり、かつ、ポリマー本体５と一緒に、リボンケーブルの、環境に対する電気絶縁を確保している。図３ｂによれば、バリアフィルム１６が、２つの金属層１６．２を有しており、これらが、ポリマー層１６．１の両方の表面に適用されている。リボンケーブル１４が、バリアフィルム１６の、外部ペイン間空間に面している表面に適用されており、絶縁体１８が、隣接する金属層１６．２とリボンケーブル１４との間に適用されている。絶縁体１８が、接着層によって形成されており、接着層は、ここでは、ポリウレタン接着剤である。接着層を、バリアフィルム１６に適用し、リボンケーブル１４を、未だ固化していない接着層に挿入する。接着層は、リボンケーブル１４の、その下方にある金属層１６．２に対する電気絶縁として、機能する。
【０１３８】
図４は、二重スペーサを有する本発明に係る三重絶縁グレージングの実施態様を断面で描写している。絶縁グレージングＩＩの基本的な構造が、図２ａ及び図２ｂで記載されているものに対応している。これらとは対照的に、ポリマー本体５が、第１ペイン接触表面７．１と第２ペイン接触表面７．２との間に、溝１７を有しており、溝１７と第１ペイン接触表面７．１との間に第１中空チャンバー１０．１があり、溝１７と第２ペイン接触表面７．２との間に第２中空チャンバー１０．２がある。溝１７の側方面が、２つの中空チャンバー１０．１及び１０．２の壁によって形成されており、溝１７の底部表面が、外側表面９に直接に隣接している。溝１７が、ペイン接触表面７に平行に延在している。第３ペイン２１が、スペーサＩの溝１７に挿入されており、第３ペイン２１は、１つのペイン表面において、ここでもバスバー２２を備えているエレクトロクロミック機能性要素である、電気的に切り替え可能な機能性要素１を担持している。溝１７に、接触要素２があり、これが、バネ接触体として実施されている。接触要素２は、第３ペイン２１の挿入の前に、溝１７に既に取り付けられている。溝１７の底部表面に、進入開口部２５が、ドリル穴の形態で存在する。これは、接触要素２を挿入する前に作られ、それにより、接触要素２をそれに挿入しうるようにし、かつ、接触要素が、本体５を通って、外側表面にまで突き出すようにする。第３ペイン２１が、バスバー２２が接触要素２の方向に向くように、溝１７に挿入されている。第３ペイン２１の挿入の際に、バネ接触体が、バスバー２２に対して押し付けられ、そのようにして、所望の電気的な接触が作り出されている。溝１７が、さらに、挿入体２４を有しており、これが、第３ペイン２１の端部の周りにあり、かつ、溝１７に面一で一致している。挿入体２４が、エチレンプロピレンジエンゴムでできており、かつ、接触要素２の領域で、くぼんでいる。挿入体２４が、第３ペイン２１を、応力なく固定し、ペインの熱膨張を補償している。さらには、挿入体２４は、第３ペイン２１の滑りに起因する騒音の発生を防止する。図３の本発明に係る絶縁グレージングＩＩは、電気的に切り替え可能な機能性要素の電気的な接触を、観察者に対して不可視にすることができ、バスバー２２もまた、溝１７の中に完全に配置され、かつそれによって隠される。
【０１３９】
図５は、下記の工程を有する、本発明に係る方法のありうる実施態様のフローチャートを描写している：
Ｉ      統合されたリボンケーブル１４を有するポリマースペーサＩを、提供すること、
ＩＩ    周縁的なスペーサフレームを事前製造すること、
ＩＩＩ  少なくとも１つの電気接続ケーブル１５を、リボンケーブル１４の１つのワイヤに電気的に接触させること、
ＩＶ    電気的に切り替え可能な機能性要素１を有するペインを、スペーサＩに取り付け、電気接続ケーブル１５と機能性要素１との電気的な接触を形成すること、
Ｖ      少なくとも１つのさらなるペインを、スペーサに取り付けること、
ＶＩ    ペインアセンブリを、押圧すること、並びに、
ＶＩＩ  外部封止剤６を、外部ペイン間空間１３に挿入すること。
【０１４０】
工程ＩＶにおいて、二重グレージングの場合に、エレクトロクロミック機能性要素を有する第１ペイン１９又は第２ペイン２０を、スペーサＩのペイン接触表面７に、封止剤４を介して、付着させる。エレクトロクロミック機能性要素が、後のグレージング内部３の方向に向く。そして、工程Ｖにおいて、第２ペイン２０を、未だ利用可能なペイン接触表面７に、同様に封止剤４によって、取り付ける。
【０１４１】
二重スペーサを有する三重グレージングの場合には、工程ＩＶにおいて、第３ペイン２１を、スペーサＩの溝１７に挿入し、かつ、工程Ｖにおいて、第１及び第２ペイン１９及び２０を、封止剤４を介して、ペイン接触表面７に、取り付ける。
【符号の説明】
【０１４２】
Ｉ      スペーサ
ＩＩ    絶縁グレージング
１      電気的に切り替え可能な機能性要素
２      接触要素
３      グレージング内部
４      封止剤
５      ポリマー本体
６      外部封止剤
７      ペイン接触表面
７．１    第１ペイン接触表面
７．２    第２ペイン接触表面
８        グレージング内側表面
９        外側表面
１０      中空チャンバー
１０．１  第１中空チャンバー
１０．２  第２中空チャンバー
１１      乾燥剤
１２      開口部
１３      外部ペイン間空間
１４      リボンケーブル
１５      電気接続ケーブル
１６      耐ガス漏洩性かつ耐蒸気漏洩性であるバリアフィルム
１６．１  耐ガス漏洩性かつ耐蒸気漏洩性であるバリアフィルムのポリマー層
１６．２    １６．１  耐ガス漏洩性かつ耐蒸気漏洩性であるバリアフィルムの金属又はセラミック層
１７      溝
１８      電気絶縁体
１９      第１ペイン
２０      第２ペイン
２１      第３ペイン
２２      バスバー
２３      電圧源
２４      挿入体
２５      進入開口部
【図１】
2021513014.tif 000003
【図２ａ】
2021513014.tif 000004
【図２ｂ】
2021513014.tif 000005
【図３ａ】
2021513014.tif 000006
【図３ｂ】
2021513014.tif 000007
【図４】
2021513014.tif 000008
【図５】
2021513014.tif 000009
【国際調査報告】
2021513014.tif 000010
2021513014.tif 000011
2021513014.tif 000012
2021513014.tif 000013
2021513014.tif 000014